(57)【要約】【課題】車内に流される音に関連する文字をフロントガラスに表示し、この文字について安全運転の範囲内で簡単な確認を行うことができるようにする。【解決手段】車両用音出力及び文字表示装置１０は、車内において出力すべき音が決定されると、音を車内に出力する出力部１２と、音に対応する文字を、車両１８の使用状態に応じてフロントガラス２０に表示する表示部１４と、を有する。【選択図】図４
2019137357.tif 000002
【特許請求の範囲】
【請求項１】
車内において出力すべき音が決定されると、前記音を車内に出力する出力部と、
前記音に対応する文字を、車両の使用状態に応じてフロントガラスに表示する表示部と、
を有する車両用音出力及び文字表示装置。
【請求項２】
手動運転状態において、前記表示部により前記文字が表示される位置は、予め定められた位置に制限される請求項１に記載の車両用音出力及び文字表示装置。
【請求項３】
前記表示部により前記文字が表示される位置を、運転席側とするか、助手席側とするか、運転席側及び助手席側の双方とするかを選択可能とされた請求項１又は請求項２に記載の車両用音出力及び文字表示装置。
【請求項４】
前記音が持つ特性に基づいて、前記文字が表示される位置が選択される請求項３に記載の車両用音出力及び文字表示装置。
【請求項５】
前記音は器楽音及び声楽音の少なくとも一方であり、前記文字は前記音の歌詞である請求項１〜請求項４の何れか１項に記載の車両用音出力及び文字表示装置。
【発明の詳細な説明】
【技術分野】
【０００１】
本発明は、車両用音出力及び文字表示装置に関する。
【背景技術】
【０００２】
特許文献１には、車速等の車両情報をフロントガラスに投影する技術が開示されている。
【先行技術文献】
【特許文献】
【０００３】
【特許文献１】特開平５−２４４６２号公報
【発明の概要】
【発明が解決しようとする課題】
【０００４】
車両走行時の車内において、曲を流し、この曲に合わせて歌うことがあり得る。この場合、歌詞の記憶が曖昧だと歌い辛いため、フロントガラスに歌詞が表示されると快適である。また、運転状態の車内において、外国語学習のためのヒアリングを行ったりすることがあり得る。ヒアリングの際には、フロントガラスに外国語の字幕が表示されると、学習上効率的である。
【０００５】
しかしながら、上記した従来例では、予め定められた車両情報しか表示できないため、運転中の車内において、フロントガラスに歌詞や外国語の字幕を表示することはできない。
【０００６】
本発明は、車内に流される音に関連する文字をフロントガラスに表示し、この文字について安全運転の範囲内で簡単な確認を行うことができるようにすることを目的とする。
【課題を解決するための手段】
【０００７】
第１の態様に係る車両用音出力及び文字表示装置は、車内において出力すべき音が決定されると、前記音を車内に出力する出力部と、前記音に対応する文字を、車両の使用状態に応じてフロントガラスに表示する表示部と、を有する。
【０００８】
この車両用音出力及び文字表示装置では、出力すべき音が決定されると、出力部によりその音が車内に出力される。また、表示部により、その音に対応する文字が、車両の使用状態に応じてフロントガラスに表示される。車両の使用状態とは、手動運転状態か、それ以外の状態かを意味する。つまり、音に対応する文字が、このような車両の使用状態に応じてフロントガラスに適切に表示される。これにより、例えば、車内に流れる音の歌詞を確認したり、外国語教材の音声を聞きながら字幕を確認したりすることができる。
【０００９】
第２の態様は、第１の態様に係る車両用音出力及び文字表示装置であって、手動運転状態において、前記表示部により前記文字が表示される位置は、予め定められた位置に制限される。
【００１０】
この車両用音出力及び文字表示装置では、手動運転状態において、表示部により文字が表示される位置が、予め定められた位置に制限される。予め定められた位置とは、運転者の視界が妨げられず、運転が妨げられない位置である。したがって、手動運転状態でも、フロントガラスに表示された文字を安全に確認できる。
【００１１】
第３の態様は、第１の態様又は第２の態様に係る車両用音出力及び文字表示装置において、前記表示部により前記文字が表示される位置を、運転席側とするか、助手席側とするか、運転席側及び助手席側の双方とするかを選択可能とされている。
【００１２】
この車両用音出力及び文字表示装置では、表示部により文字が表示される位置について、運転席側のみとしたり、助手席側のみとしたり、運転席側及び助手席側の双方としたりすることができる。この位置の選択は、自動的又は手動により行われる。
【００１３】
第４の態様は、第３の態様に係る車両用音出力及び文字表示装置において、前記音が持つ特性に基づいて、前記文字が表示される位置が選択される。
【００１４】
この車両用音出力及び文字表示装置では、音が持つ特性に基づいて、文字が表示される位置が選択される。音が持つ特性とは、例えば、カラオケにおける一人用の曲が持つ特性や、デュエット曲が持つ特性である。一人用の曲に対応する文字は、その歌詞である。デュエット曲に対応する文字は、第１パートの歌詞と第２パートの歌詞である。したがって、音が一人用の曲であれば、歌う乗員の着座位置に合わせて、文字を表示する位置を選択できる。また、音がデュエット曲であれば、第１パートの歌詞を運転席側及び助手席側の一方に表示し、第２パートの歌詞をその他方に表示することができる。
【００１５】
第５態様は、第１〜第４の態様の何れか一態様に係る車両用音出力及び文字表示装置において、前記音は器楽音及び声楽音の少なくとも一方であり、前記文字は前記音に対応する歌詞である。
【００１６】
ここで、「声楽音」とは人の歌声であるが、これだけでなく、例えば、コンピュータで人工的に作られた歌声等も含まれる。
この車両用音出力及び文字表示装置では、出力すべき音が決定され車内に出力されると、表示部によりその音に対応する歌詞がフロントガラスに表示される。したがって、フロントガラスに表示される歌詞を確認しながら音を聴いたり、音に合わせて歌ったりすることができる。
【発明の効果】
【００１７】
請求項１に記載の車両用音出力及び文字表示装置によれば、車内に流される音に関連する文字をフロントガラスに表示し、この文字について安全運転の範囲内で簡単な確認を行うことができる。
【００１８】
請求項２に記載の車両用音出力及び文字表示装置によれば、手動運転がより安全な運転となるように支援できる。
【００１９】
請求項３に記載の車両用音出力及び文字表示装置によれば、必要とされる側に必要な文字を表示したり、文字が表示される位置を乗員が任意に選択したりすることができる。
【００２０】
請求項４に記載の車両用音出力及び文字表示装置によれば、音が持つ特性に基づいて、文字を適切な位置に表示できる。
【００２１】
請求項５に記載の車両用音出力及び文字表示装置によれば、車内でカラオケを楽しむことができる。
【図面の簡単な説明】
【００２２】
【図１】本実施形態に係る車両用音出力及び文字表示装置を示すブロック図である。
【図２】出力すべき音の決定から文字が表示されるまでの流れを示すフローチャートである。
【図３】図２におけるステップＳ４の詳細を示すフローチャートである。
【図４】フロントガラスの運転席側に文字が表示される例を示す正面図である。
【図５】フロントガラスの助手席側に文字が表示される例を示す正面図である。
【図６】フロントガラスの運転席側及び助手席側に文字が表示される例を示す正面図である。
【図７】フロントガラスの中央全体に文字が表示される例を示す正面図である。
【発明を実施するための形態】
【００２３】
以下、本発明を実施するための形態を図面に基づき説明する。図面において、矢印ＲＨは車両右側を示し、矢印ＵＰは車両上方を示している。
【００２４】
図１において、本実施形態に係る車両用音出力及び文字表示装置１０は、出力部１２と、表示部１４とを有している。
【００２５】
図１において、出力部１２は、車内において出力すべき音が決定されるとその音を車内に出力する、例えばスピーカである。図４から図６に示されるように、出力部１２は、例えばインストルメントパネル１６に設けられている。音とは、例えば器楽音及び声楽音の少なくとも一方、又は外国語教材の音声である。
【００２６】
表示部１４は、音に対応する文字を、車両１８の使用状態に応じてフロントガラス２０に表示する装置である。文字とは、音が声楽音（歌）、歌詞に対応する器楽音（カラオケ用の曲）、声楽音と器楽音を組み合わせたもの（歌を含む曲）の場合はその歌詞である。ここで、「声楽音」とは人の歌声であるが、これだけでなく、例えば、コンピュータで人工的に作られた歌声等も含まれる。また、文字とは、音が外国語教材の音声である場合にはその音声に対応する字幕である。
【００２７】
表示部１４の具体的構成は省略するが、フロントガラス２０に文字を表示できるものであれば、どのような構成であってもよい。表示部１４として、透明液晶ディスプレイをフロントガラス２０の車内側に重ねて配置してもよい。表示部１４が透明液晶ディスプレイである場合、文字を任意の位置に容易に表示可能である。また、表示部１４として、フロントガラス２０に文字を投影するプロジェクタを用いてもよい。このプロジェクタは１台に限られず、複数台設けられていてもよい。更に、表示部として、透明液晶ディスプレイとプロジェクタを組み合わせて用いてもよい。
【００２８】
本実施形態では、出力部１２と表示部１４は、制御装置２２により制御されるようになっている。制御装置２２は、決定された音を出力部１２に送ることが可能とされている。また、制御装置２２は、その音に対応する文字を表示部１４に送ることが可能とされている。なお、制御装置２２は、カーナビゲーション装置やカーオーディオ装置の一部であってもよく、またカーナビゲーション装置やカーオーディオ装置とは別の構成であってもよい。
【００２９】
図１において、音の決定は、スマートフォン２４等の端末、制御装置２２の操作部等により行うことができる。スマートフォン２４は、制御装置２２に無線接続又は有線接続することで利用可能となる。
【００３０】
音や文字のデータの保存場所は、制御装置２２、スマートフォン２４、外部サーバ２６等の任意の場所である。外部サーバ２６に保存されたデータは、制御装置２２に直接送信されてもよいし、スマートフォン２４を経由して制御装置２２に送信されてもよい。
【００３１】
また、音のデータと文字のデータは同じ場所に保存されている必要はなく、各々別の場所に保存されていてもよい。具体的には、例えばスマートフォン２４に保存された音を選択すると、スマートフォン２４又は制御装置２２内のソフトウェアがその音を解析し、その音に対応する文字のデータを外部サーバ２６等の他の場所から自動的にダウンロードするようにしてもよい。
【００３２】
文字が表示される位置は、制御装置２２によって車両１８の使用状態に応じて選択される。ここで、車両１８の使用状態とは、手動運転状態か、それ以外の状態かを意味する。つまり、文字が表示される位置は、車両の使用状態が、手動運転状態か否かにより選択されるようになっている。
【００３３】
手動運転状態でない状態（非手動運転状態）とは、車両１８が停止しかつ動き出さない状態、又は運転の不要な自動運転状態を意味する。「車両１８が停止しかつ動き出さない状態」に該当する例として、次の２つが考えられる。第１の例は、車両１８がオートマチックトランスミッションを有する場合において、シフトレバーがＰレンジにあり、かつパーキングブレーキが作動している状態である。第２の例は、車両がマニュアルトランスミッションを有する場合において、シフトレバーがニュートラルにあり、かつパーキングブレーキが作動している状態である。
【００３４】
音の決定から文字の表示までの制御の流れは、図２のフローチャートに示されるとおりである。ステップＳ１では、車内に出力すべき音の決定が行われる。ステップＳ２では、決定された音の出力が行われる。ステップＳ３では、車両１８の使用状態が手動運転状態であるか否かが判定される。車両１８の使用状態が手動運転状態である場合には、ステップＳ４において、文字が表示される位置が予め定められた位置に制限される（図４から図６）。予め定められた位置とは、運転者の視界が妨げられず、運転が妨げられない位置であり、例えばフロントガラス２０の下部である。車両１８の使用状態が手動運転状態でない場合には、ステップＳ５において、文字が表示される位置は非制限となる。非制限の場合、文字が表示される位置を、例えばフロントガラス２０の中央全体に設定することができる（図７）。そして、ステップＳ６において、実際にフロントガラス２０に文字が表示される。
【００３５】
文字の表示位置が制限される場合（ステップＳ４）、図３のフローチャートに示されるように、表示部１４により文字が表示される位置を、運転席側とするか、助手席側とするか、運転席側及び助手席側の双方とするかを選択可能としてもよい。ステップＳ１１では、運転席側を選択するか否かが判定される。運転席側が選択された場合には、ステップＳ１２において、運転席側の表示がＯＮに設定される。運転席側が選択されない場合には、ステップＳ１３において、運転席側の表示がＯＦＦに設定される。次に、ステップＳ１４では、助手席側を選択するか否かが判定される。助手席側が選択された場合には、ステップＳ１５において、助手席側の表示がＯＮに設定される。助手席側が選択されない場合には、ステップＳ１６において、助手席側の表示がＯＦＦに設定される。
【００３６】
文字が表示される位置の選択は、乗員の操作により行われてもよいし、音が持つ特性に応じて行われてもよい。音が持つ特性とは、例えば、カラオケにおける一人用の曲が持つ特性や、デュエット曲が持つ特性（デュエット情報）である。一人用の曲に対応する文字は、その歌詞である。デュエット曲に対応する文字は、第１パート（男性パート）の歌詞と第２パート（女性パート）の歌詞である。
【００３７】
車内に出力すべき音がカラオケにおける一人用の曲であり、乗員が一人の場合に、歌詞の表示位置をその乗員の着座側に設定するといった使用が考えられる。運転席と助手席の双方に乗員が存在した状態で一人用の曲が選択された場合には、歌詞の表示位置を任意に選択できるようにしてもよい。また、車内に出力すべき音がデュエット曲である場合に、カメラ等を用いて運転席乗員と助手席乗員の性別をそれぞれ判別し、第１パートの歌詞の表示位置を男性着座側に設定し、第２パートの歌詞の表示位置を女性着座側に設定するといった使用が考えられる。なお、乗員の操作により、第１パート（男性パート）の歌詞の表示位置と、第２パート（女性パート）の歌詞の表示位置を選択するようにしてもよい。
【００３８】
（作用）
本実施形態は、上記のように構成されており、以下その作用について説明する。図１、図４から図７において、本実施形態に係る車両用音出力及び文字表示装置１０では、制御装置２２において出力すべき音が決定されると、出力部１２によりその音が車内に出力される。また、表示部１４により、その音に対応する文字が、車両１８の使用状態に応じてフロントガラス２０に表示される。つまり、音に対応する文字が、このような車両１８の使用状態に応じてフロントガラス２０に適切に表示される。これにより、例えば、車内に流れる音の歌詞を確認したり、外国語教材の音声を聞きながら字幕を確認したりすることができる。このため、車内に流される音に関連する文字をフロントガラス２０に表示し、この文字について安全運転の範囲内で簡単な確認を行うことができる。
【００３９】
本実施形態では、手動運転状態においては、表示部１４により文字が表示される位置が、予め定められた位置、例えばフロントガラス２０の下部に制限される。この際、表示部１４により文字が表示される位置を、運転席側のみとしたり（図４）、助手席側のみとしたり（図５）、運転席側及び助手席側の双方（図６）としたりすることができる。この位置の選択は、自動的又は手動により行われる。したがって、手動運転状態でも、フロントガラス２０に表示された文字を安全に確認できる。このため、手動運転がより安全な運転となるように支援できる。
【００４０】
車両の使用状態が停車状態や自動運転状態であり、手動運転状態でない場合には、図７に示されるように、文字が表示される位置を、フロントガラスの中央全体としてもよい。
【００４１】
また、音が持つ特性に基づいて、文字が表示される位置が選択されてもよい。したがって、音が一人用の曲であれば、歌う乗員の着座位置に合わせて、文字を表示する位置を選択できる。また、音がデュエット曲であれば、第１パートの歌詞を運転席側及び助手席側の一方に表示し、第２パートの歌詞をその他方に表示することができる。つまり、必要とされる側に必要な文字を表示したり、文字が表示される位置を乗員が任意に選択したりすることができる。また、音が持つ特性に基づいて、文字を適切な位置に表示できる。
【００４２】
音が声楽音（歌）、歌詞に対応する器楽音（カラオケ用の曲）、声楽音と器楽音を組み合わせたもの（歌を含む曲）の場合、出力すべき音が決定され車内に出力されると、表示部１４によりその音に対応する歌詞がフロントガラス２０に表示される。したがって、フロントガラス２０に表示される歌詞を確認しながら音を聴いたり、音に合わせて歌ったりすることができる。このため、車内でカラオケを楽しむことができる。
【００４３】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【符号の説明】
【００４４】
１０  車両用音出力及び文字表示装置
１２  出力部
１４  表示部
１８  車両
２０  フロントガラス
【図１】
2019137357.tif 000003
【図２】
2019137357.tif 000004
【図３】
2019137357.tif 000005
【図４】
2019137357.tif 000006
【図５】
2019137357.tif 000007
【図６】
2019137357.tif 000008
【図７】
2019137357.tif 000009